(57)【要約】【課題】冊子をブックケースに収容して陳列棚に隙間無く並べた場合に、冊子を収容したブックケースの陳列棚からの取り出しやすさの向上と、かつ陳列棚に並んだ状態で立体的に見えるといったアイキャッチ効果の向上を課題とする。【解決手段】前面部、二つの側面部、頂面部、底面部からなり、背面が開口した直方体形状のブックケースにおいて、前面部と二つの側面部との境界の二つの稜線部分に、少なくとも一つの面取り部を形成し、面取り部が、稜線の一端（頂面部）から他端（底面部）までに、または稜線の中間に紡錘形状に形成され、かつその短軸と長軸の長さの比が、１〜５対２５であるブックケースである。【選択図】図２
0003133784.tif 000002
【実用新案登録請求の範囲】
【請求項１】
前面部、二つの側面部、頂面部、底面部からなり、背面が開口した直方体形状のブックケースにおいて、前面部と二つの側面部との境界の二つの稜線部分に、少なくとも一つの面取り部を形成したことを特徴とするブックケース。
【請求項２】
該面取り部が、稜線の一端（頂面部）から他端（底面部）までに、または稜線の中間に紡錘形状に形成され、かつその短軸と長軸の長さの比が、１〜５対２５であることを特徴とする請求項１に記載のブックケース。
【請求項３】
該面取り部が滑り止め加工されていることを特徴とする請求項１または２に記載のブックケース。
【考案の詳細な説明】
【技術分野】
【０００１】
本考案は、冊子を収容するブックケースに関するものである。
【背景技術】
【０００２】
従来、書籍やファイル等の冊子を収容するブックケースにおいて、背面が開口した直方体形状をなしており、開口部より冊子を収容した後、前面部と側面部との境界の稜線における稜角が直角で真四角な外観で平らな前面部を前にして陳列棚に並べられる。
【０００３】
しかしながら、冊子を収容した直方体形状のブックケースを隙間無く陳列すると陳列棚から取り出す際に取り掛かり部分がなく、特に高い位置におかれた場合には取出しが困難であった。
そこで、開口部の少なくとも一部を閉止する開閉可能な閉止部を設け、この閉止部を、開口部の端縁である開口端縁から開口方向に突出させて設けた突出片を具備し、さらに閉止した状態で閉止部をつまむことが可能であるように構成しているブックケースが開示されている（例えば、特許文献１）。
【０００４】
【特許文献１】特開２００３−３２０７６７号公報
【考案の開示】
【考案が解決しようとする課題】
【０００５】
本考案は、冊子をブックケースに収容して陳列棚に隙間無く並べた場合に、冊子を収容したブックケースの陳列棚からの取り出しやすさの向上と、かつ陳列棚に並んだ状態で立体的に見えるといったアイキャッチ効果の向上を図るべく構成したものである。
【課題を解決するための手段】
【０００６】
上記課題を解決するため、本考案は以下の（１）〜（３）の構成を採る。
（１）前面部、二つの側面部、頂面部、底面部からなり、背面が開口した直方体形状のブックケースにおいて、前面部と二つの側面部との境界の二つの稜線部分に、少なくとも一つの面取り部を形成したことを特徴とするブックケース。
（２）該面取り部が、稜線の一端（頂面部）から他端（底面部）までに、または稜線の中間に紡錘形状に形成され、かつその短軸と長軸の長さの比が、１〜５対２５であることを特徴とする（１）項に記載のブックケース。
（３）該面取り部が滑り止め加工されていることを特徴とする（１）または（２）項に記載のブックケース。
【考案の効果】
【０００７】
本考案は、ブックケースの前面部と側面部の境界の稜線部分に面取り部を形成することにより、隙間無く並べられた冊子を収容したブックケースを容易に取り出すことが出来ると共に、紡錘形状に面取り部を形成しているので、より立体的に見えて陳列時のアイキャッチ効果が優れる。
【０００８】
また、本考案は、面取り部に滑り止め加工を施すことにより陳列棚から取り出しがより容易になると共に、ブックケースへの冊子の収納、ブックケースからの冊子の取り出しが確実となる。
【考案を実施するための最良の形態】
【０００９】
以下、本考案の実施の形態について説明するが、本考案は以下の実施の形態に限定されるものではなく、考案の範囲を逸脱しない限りにおいて、変更、修正、改良を加え得るものである。以下の説明は紙を素材とした場合で説明する。
【００１０】
本考案の対象及び用途は、書籍やファイル等を収容するブックケースである。
上記ブックケースは、重たい辞書のような書籍のほか、ファイル等の柔軟な冊子を収容するものである。
このため、上記ブックケースは、一定以上の強度と剛性を必要とする。そこで、ブックケースを構成する素材は板紙のほか、プラスチック樹脂の成形品からも製造されるが、ブックケースへの内容物表示の印刷および滑り止め加工の容易さ、ブックケースとしての使用後に廃棄物となった時の資源の回収の容易さを含めて板紙製カートンが多用される。
【００１１】
このカートンに使用する板紙はコート白ボール、色板、高板等の板紙のほか、マイクロフルート段ボール等も使用可能で、収容する冊子の重量、大きさ、必要な緩衝性に応じて、米坪やフルート構成等が適宜選択される。
【実施例】
【００１２】
以下、図に基づいて、本考案の実施形態を説明する。
図１〜３は、本考案のブックケースの第一の実施形態である。
図２のＺは本考案のブックケースを前面部２から見た斜視図である。図２のＨは本考案のブックケースを開口６を有する背面から見た斜視図である。冊子は開口６から挿入してブックケースに収容する。
【００１３】
図１は、同考案のブックケースの展開図（ブランク）を示す。ブックケースは前面部２、二つの側面部３、頂面部４、底面部５からなる。このブランクから背面が開口した直方体形状のブックケースを糊付け、製函するために側面部３の上下に四つのフラップ３ｆが連設されている。このフラップは互いに重なり合いダブルフラップとなる大きさのものを連設してもよい。更に側面部３の左右には二つの折返し部３ｄ、頂面部４に折返し部４ｄ、底面部５に折返し部５ｄがそれぞれ連設されている。この折返し部は必ずしも必要ではないが、冊子を何度も出し入れする場合には開口部の破れを防ぐために、また収容した冊子の飛び出し、脱落防止のために、図２のＨの３ｄと５ｄのようにブックケースの内側に折返し接着することが好ましい。
【００１４】
前面部２と二つの側面部３との境界の二つの稜線部分には二つの面取り部１を形成している。この場合、稜線の一端（頂面部４）から他端（底面部５）までに紡錘形状に面取り部１を形成している。この紡錘形状の面取り部１の短軸ａと長軸ｂの長さの比は、１〜５対２５であることが好ましい。この比を外れると、ブックケースを陳列した間から取り出す時の引き出しつまみとしての面取り部１効果が損なわれる。  
【００１５】
図３には、本考案のブックケースを並べた時の斜視図を示す。ブックケースを複数個並べた真ん中からブックケースを取り出す時に、前面部２に引き出しつまみとなる面取り部１を設けたことにより、容易にブックケースを取り出すことができる。しかも、稜線部分に紡錘形状の面取り部１を設け、さらに稜線における稜角が直角でないので、これまでの真四角な外観でなく、より立体的に見えて陳列時のアイキャッチ効果に優れる。
【００１６】
本考案では、紡錘形状の面取り部１の形状に合わせて、滑り止め加工を行うことにより、ブックケースの取り出しがより容易になる。更にブックケースへの冊子の出し入れもより確実に行えるという効果もある。本考案での滑り止め加工は、紡錘形状の面取り部１にのみ行う必要があり、例えば側面部３に滑り止め加工がなされると逆にブックケースの取り出しが困難となる。
【００１７】
本考案の滑り止め加工は、発泡インキを面取り部１の紡錘形状に合わせて印刷、発泡することにより行うことができる。また、紡錘形状の面取り部１にエンボス処理を行い、凹凸をつけることや紡錘形状部分にホットメルトを斑点状に点着することもできる。更に、市販の滑り止めシートを面取り部１の紡錘形状に合わせて切り取り、接着することは側面部３に滑り止め剤がはみ出すことがないので好ましい。
【００１８】
図４と５は、本考案のブックケースの第二の実施形態である。
第一の実施形態で、前面部１と二つの側面部３との境界の二つの稜線部分の一つにのみに紡錘形状の面取り部を形成した例である。その効果は第一の実施形態と同様である。
【００１９】
図６と７は、本考案のブックケースの第三の実施形態を示す。
第一の実施形態と異なり、前面部２と二つの側面部３との境界の二つの稜線部分の中間に面取り部１として紡錘形状を形成した例である。
紡錘形状の面取り部１は必ずしも稜線部分の真ん中にある必要はなく、頂面部４側、底面部５側のいずれかの方向に偏って形成してもよい。
【００２０】
以上の本考案のブックケースの作製は、板紙またはマイクロフルート段ボールに罫線加工と同時に打ち抜いてブランクとするのが効率的である。このブランクを製函すると面取り部１は罫線に沿って容易に折れ曲がり、紡錘形状の面取り部１となる。紡錘形状の面取り部１を前面部２と側面部３との境界の稜線部分の中間に設けても問題なく、紡錘形状の面取り部１が形成される。
なお、罫線加工・打抜きに先立って、前記発泡インキの印刷や内容物表示、図柄印刷を行うことにより機能性・意匠性を高めることもできる。
【産業上の利用可能性】
【００２１】
本考案は、アイキャッチ効果が優れると共に陳列棚から容易にとり出せるブックケースとして利用できる。ブックケースに収容するものとしては、書籍やファイルだけでなく、写真アルバム等、冊子状をなすもの全般に利用できる。
【図面の簡単な説明】
【００２２】
【図１】本考案のブックケースの第一の実施形態の展開図（ブランク）である。
【図２】本考案のブックケースの第一の実施形態の斜視図である。Ｚは本考案のブックケースを前面部からの斜視図である。Ｈは本考案のブックケースを開口を有する背面からの斜視図である。
【図３】本考案の第一の実施形態のブックケースを複数個並べた時の斜視図である。
【図４】本考案のブックケースの第二の実施形態の展開図（ブランク）である。
【図５】本考案の第二の実施形態のブックケースを複数個並べた時の斜視図である。
【図６】本考案のブックケースの第三の実施形態の展開図（ブランク）である。
【図７】本考案の第三の実施形態のブックケースを複数個並べた時の斜視図である。
【符号の説明】
【００２３】
１：面取り部、２：前面部、３：側面部、４：頂面部、５：底面部、６：開口
３ｄ、４ｄ、５ｄ：折返し部、３ｆ：フラップ
ａ：紡錘形状面取りの短軸、ｂ：紡錘形状面取りの長軸
【図１】
0003133784.tif 000003
【図２】
0003133784.tif 000004
【図３】
0003133784.tif 000005
【図４】
0003133784.tif 000006
【図５】
0003133784.tif 000007
【図６】
0003133784.tif 000008
【図７】
0003133784.tif 000009